【手続補正書】
【提出日】平成26年12月24日(2014.12.24)
【手続補正１】
【補正対象書類名】明細書
【補正対象項目名】０００７
【補正方法】変更
【補正の内容】
【０００７】
本発明は、上記問題に鑑みて成されたものであり、本発明の目的は、機器のリソース使用を最小限に抑え、機器の設定等の情報を安全に通信することができるデバイス及びその通信制御方法、並びにプログラムを提供することにある。
【手続補正２】
【補正対象書類名】明細書
【補正対象項目名】０００８
【補正方法】変更
【補正の内容】
【０００８】
上記目的を達成するために、本発明のデバイスは、無線通信ネットワークを介して他のデバイスと通信可能で、当該他のデバイスを管理するデバイスであって、前記他のデバイスの設定値を変更するための設定変更モードの際に使用する設定用ネットワークＩＤを保持する保持手段と、接続中の第１の無線通信ネットワークから離脱する第１の離脱手段と、前記第１の無線通信ネットワークから離脱した前記他のデバイスとの間で、前記保持手段によって保持された前記設定用ネットワークＩＤを使用して、前記第１の無線通信ネットワークとは異なる第２の無線通信ネットワークを構築するように前記他のデバイスと無線接続する第１の接続手段と、前記第１の接続手段により無線接続された前記他のデバイスに前記第２の無線通信ネットワークを介して設定データを送信する設定データ送信手段と、を備えることを特徴とする。
【手続補正３】
【補正対象書類名】特許請求の範囲
【補正対象項目名】全文
【補正方法】変更
【補正の内容】
【特許請求の範囲】
【請求項１】
無線通信ネットワークを介して他のデバイスと通信可能で、当該他のデバイスを管理するデバイスであって、
前記他のデバイスの設定値を変更するための設定変更モードの際に使用する設定用ネットワークＩＤを保持する保持手段と、
接続中の第１の無線通信ネットワークから離脱する第１の離脱手段と、
前記第１の無線通信ネットワークから離脱した前記他のデバイスとの間で、前記保持手段によって保持された前記設定用ネットワークＩＤを使用して、前記第１の無線通信ネットワークとは異なる第２の無線通信ネットワークを構築するように前記他のデバイスと無線接続する第１の接続手段と、
前記第１の接続手段により無線接続された前記他のデバイスに前記第２の無線通信ネットワークを介して設定データを送信する設定データ送信手段と、
を備えることを特徴とするデバイス。
【請求項２】
前記設定データ送信手段によって送信された設定データを使用した設定変更が終了した後、該設定変更以前に接続していた前記第１の無線通信ネットワークに再接続する第１の再接続手段を備えることを特徴とする請求項１記載のデバイス。
【請求項３】
通常動作時において、前記他のデバイスがコーディネータまたはルータとして設定され、前記デバイスがルータまたはエンドデバイスとして設定され、
設定変更時において、前記他のデバイスがルータまたはエンドデバイスとして設定され、前記デバイスがコーディネータとして設定されることを特徴とする請求項１又は２に記載のデバイス。
【請求項４】
前記設定データは、電話帳データ、カウンタデータ、通信履歴データ、ユーザ設定データ、工場設定データの少なくともいずれか１つを含むことを特徴とする請求項１乃至３のいずれか１項に記載のデバイス。
【請求項５】
無線通信ネットワークを介して管理者デバイスと接続可能なデバイスであって、
前記デバイスの設定値を変更するための設定変更モードの際に使用する設定用ネットワークＩＤを保持する保持手段と、
前記管理者デバイスの第１の無線通信ネットワークからの離脱に応じて、接続中の前記第１の無線通信ネットワークから離脱する第２の離脱手段と、
前記保持手段によって保持された設定用ネットワークＩＤを使用して、前記第１の無線通信ネットワークから離脱した管理者デバイスとの間で、当該第１の無線通信ネットワークとは異なる第２の無線通信ネットワークを介して無線接続する第２の接続手段と、
前記管理者デバイスから受信した設定データにより設定変更を行う設定変更手段と、
を備えることを特徴とするデバイス。
【請求項６】
前記設定変更手段による設定変更が終了した後、設定変更以前に接続していた前記第１の無線通信ネットワークに再接続する第２の再接続手段を備えることを特徴とする請求項５記載のデバイス。
【請求項７】
通常動作時において、前記デバイスがコーディネータまたはルータとして設定され、前記管理者デバイスがルータまたはエンドデバイスとして設定され、
設定変更時において、前記デバイスがルータまたはエンドデバイスとして設定され、前記管理者デバイスがコーディネータとして設定されることを特徴とする請求項５又は６に記載のデバイス。
【請求項８】
無線通信ネットワークを介して他のデバイスと通信可能で、当該他のデバイスを管理するデバイスの通信制御方法であって、
接続中の第１の無線通信ネットワークから離脱する第１の離脱工程と、
前記第１の無線通信ネットワークから離脱した前記他のデバイスとの間で、前記他のデバイスの設定値を変更するための設定変更モードの際に使用する設定用ネットワークＩＤを使用して、前記第１の無線通信ネットワークとは異なる第２の無線通信ネットワークを構築するように前記他のデバイスと無線接続する第１の接続工程と、
前記第１の接続工程にて無線接続された前記他のデバイスに前記第２の無線通信ネットワークを介して設定データを送信する設定データ送信工程と、
を有することを特徴とする通信制御方法。
【請求項９】
無線通信ネットワークを介して管理者デバイスと接続可能なデバイスの通信制御方法であって、
前記管理者デバイスの第１の無線通信ネットワークからの離脱に応じて、接続中の前記第１の無線通信ネットワークから離脱する第２の離脱工程と、
前記デバイスの設定値を変更するための設定変更モードの際に使用する設定用ネットワークＩＤを使用して、前記第１の無線通信ネットワークから離脱した管理者デバイスとの間で、当該第１の無線通信ネットワークとは異なる第２の無線通信ネットワークを介して無線接続する第２の接続工程と、
前記管理者デバイスから受信した設定データにより設定変更を行う設定変更工程と、
を有することを特徴とする通信制御方法。
【請求項１０】
無線通信ネットワークを介して他のデバイスと通信可能で、当該他のデバイスを管理するデバイスの通信制御方法を実行させるためのプログラムであって、
前記デバイスを、
接続中の第１の無線通信ネットワークから離脱する第１の離脱手段、
前記第１の無線通信ネットワークから離脱した前記他のデバイスとの間で、前記他のデバイスの設定値を変更するための設定変更モードの際に使用する設定用ネットワークＩＤを使用して、前記第１の無線通信ネットワークとは異なる第２の無線通信ネットワークを構築するように前記他のデバイスと無線接続する第１の接続手段、及び
前記第１の接続手段により無線接続された前記他のデバイスに前記第２の無線通信ネットワークを介して設定データを送信する設定データ送信手段として機能させるためのプログラム。
【請求項１１】
無線通信ネットワークを介して管理者デバイスと接続可能なデバイスの通信制御方法を実行するためのプログラムであって、
前記デバイスを、
前記管理者デバイスの第１の無線通信ネットワークからの離脱に応じて、接続中の前記第１の無線通信ネットワークから離脱する第２の離脱手段、
前記デバイスの設定値を変更するための設定変更モードの際に使用する設定用ネットワークＩＤを使用して、前記第１の無線通信ネットワークから離脱した管理者デバイスとの間で、当該第１の無線通信ネットワークとは異なる第２の無線通信ネットワークを介して無線接続する第２の接続手段、及び
前記管理者デバイスから受信した設定データにより設定変更を行う設定変更手段として機能させるためのプログラム。